(57)【要約】【目的】本発明は、分娩舎から早期に隔離することで病気を予防し、また完全な消毒・洗浄が容易にできるため、大幅に作業性を向上させることが可能な子豚にとって快適な環境を与えることのできる離乳舎を提供することを目的とするものである。【構成】本発明は、前ハッチ及び後ハッチを開閉可能に対向するように取り付けた本体と前記本体に連設された運動場からなる離乳舎で、本体には床暖房や換気扇等を備え、前記運動場の下部には糞尿受けを設けたことを特徴とする子豚用離乳舎の構成及び前ハッチ及び後ハッチを開閉可能に対向するように取り付けた本体と前記本体に連設された運動場及び運動場下部に設けた糞尿受けを形成する素材を両面ＦＲＰ製材とし、内面若しくは外面をゲルコート加工仕上げとしたことを特徴とする子豚用離乳舎の構成とした。【選択図】  図１
2004248580.tif 000002
【特許請求の範囲】
【請求項１】
前ハッチ及び後ハッチを開閉可能に対向するように取り付けた本体と前記本体に連設された運動場からなる離乳舎で、本体には床暖房や換気扇等を備え、前記運動場の下部には糞尿受けを設けたことを特徴とする子豚用離乳舎。
【請求項２】
前ハッチ及び後ハッチを開閉可能に対向するように取り付けた本体と前記本体に連設された運動場及び運動場下部に設けた糞尿受けを形成する素材を両面ＦＲＰ製材とし、内面若しくは外面をゲルコート加工仕上げとしたことを特徴とする請求項１に記載の子豚用離乳舎。
【発明の詳細な説明】
【０００１】
【発明の属する技術分野】
本発明は、子豚の病気を予防し、快適環境を維持することが可能な子豚用の離乳舎に関する発明である。
【０００２】
【従来の技術】
従来、子豚は生後６ヶ月程度で分娩舎から隔離して育てている。
【０００３】
【発明が解決しようとする課題】
しかしながら、生後６ヶ月程度まで分娩舎で育てると、完全に消毒・洗浄することは難しく手間がかかることから、子豚に快適な環境・衛生的な環境を与えることが困難であり、そのため子豚の病気の発生率を高め、更には死亡率を高くする原因となっている。
【０００４】
そこで、本発明は分娩舎から早期に隔離することで病気を予防し、また完全な消毒・洗浄が容易にできるため、大幅に作業性を向上させることが可能な子豚にとって快適な環境を与えることのできる離乳舎を提供することを目的とするものである。
【０００５】
【課題を解決するための手段】
本発明は、上記の課題を解決するために、前ハッチ及び後ハッチを開閉可能に対向するように取り付けた本体と前記本体に連設された運動場からなる離乳舎で、本体には床暖房や換気扇等を備え、前記運動場の下部には糞尿受けを設けたことを特徴とする子豚用離乳舎の構成及び前ハッチ及び後ハッチを開閉可能に対向するように取り付けた本体と前記本体に連設された運動場及び運動場下部に設けた糞尿受けを形成する素材を両面ＦＲＰ製材とし、内面若しくは外面をゲルコート加工仕上げとしたことを特徴とする子豚用離乳舎の構成とした。
【０００６】
【実施例】
以下に、添付図面に基づいて、本発明である子豚用離乳舎を詳細に説明する。図１は本発明である子豚用離乳舎の全体を示す斜視図、図２は本発明である子豚用離乳舎の正面図である。
【０００７】
図１及び図２に示すように、本発明である子豚用離乳舎１は、本体２と本体２の右側に連設する運動場５から構成されている。本体２は、屋根部３と基部４から構成され、屋根部３には開閉可能で先端部がＬ字型に下方に屈曲しているとともにコ字状型の取っ手が固定されている前ハッチ３ａ及び後ハッチ３ｂが設けられている。
【０００８】
前ハッチ３ａと後ハッチ３ｂとは対向するように本体２の屋根部３に取り付けられている。屋根部３の左側面には、換気扇カバー３ｅ及び制御盤カバー３ｆが設けられている。
【０００９】
本体２の正面右端に設けられた給水管８は、ホースを取り付けるための給水管である。前記給水管８にホースを取り付けることで、本体２への給水が可能となる。
【００１０】
運動場５は、正面壁５ａ、右側面壁５ｂ、背面壁５ｅと本体２の右側面に囲まれた長方形状をしており、床５ｆには小孔が無数に形成されているメッシュ状の床材が敷かれている。また、本体２の基部４の右側面には本体出入口２ａが設けられているため、本体２と運動場５間を自由に行き来することができる。
【００１１】
運動場５を形成する右側面壁５ｂの左端には運動場出入口５ｃが設けられ、運動場出入口５ｃには、柵５ｄが嵌め込まれている。前記運動場出入口５ｃには、柵５ｄでなく、ストッパー等に嵌め替えることも可能である。
【００１２】
運動場５の下部には、糞尿受け６が設置されている。そのため、運動場５内で子豚が糞尿を排泄しても、床５ｆに形成された無数の小孔から下部の糞尿受け６内に排泄物が落ちるために運動場５内の床５ｆは清潔に保つことができる。
【００１３】
図３は、本発明である子豚用離乳舎の本体の前後ハッチを閉めた状態の正面図である。本体２の屋根部３に設けられた前後ハッチ３ａ、３ｂは、図３に示すように上下方向に開閉することができる。前ハッチ３ａの形状は、後ハッチ３ｂの形状よりも全体的に小型である。
【００１４】
図４及び図５は、本発明である子豚用離乳舎の平面図である。図４は前後ハッチ３ａ、３ｂを開いた状態の平面図である。但し、開いた前後ハッチ３ａ、３ｂは省略した。
【００１５】
図４に示すように、本体２の屋根部３に設けられた前後ハッチ３ａ、３ｂを開くと略長方形状の開口部３ｃ、３ｄが形成され、開口部３ｃ、３ｄから本体２内部を見ることができる。
【００１６】
本体２の内部には、制御カバー３ｆ及び換気扇カバー３ｅ寄りに、長方形状の餌箱７が直線方向に２台設置されている。また、本体２の床には、床暖房マット９が設置されている。餌箱７に餌を投入するには、前ハッチ３ａを開き、餌箱７の上部から餌を投入する。
【００１７】
本体２の屋根部３の左側面には、換気扇カバー３ｅ及び制御盤カバー３ｆが設けられており、換気扇カバー３ｅ内には換気扇１０が取り付けられている。また、制御盤カバー３ｆ内には制御盤１１が取り付けられている。制御盤１１については後で詳細に説明する。
【００１８】
このように、本体２に設置された床暖房マット９、換気扇１０等は、制御盤１１により自動制御されているため、子豚にとっての快適環境を維持することが可能である。
【００１９】
図５は、本発明である子豚用離乳舎の本体の屋根部に取り付けられている前後ハッチを閉じた状態の平面図である。前後ハッチ３ａ、３ｂを閉じると、開口部３ｃ、３ｄが完全に塞がれ屋根となる。前開口部３ｃは、後開口部３ｄより小さい。
【００２０】
図６は、本発明である子豚用離乳舎の左側面図である。子豚用離乳舎１の左側面、即ち本体２の左側面には、屋根部３の左側に換気扇カバー３ｅ、右側に制御盤カバー３ｆが設けられ、中央には開口部３ｃが形成され、開口部３ｃは前ハッチ３ａにより開閉する。基部４の下部には、脚部４ａ、４ａが取り付けられ、本体２全体を支持している。
【００２１】
図７は、本発明である子豚用離乳舎の本体の右側面図である。子豚用離乳舎１の本体２の屋根部３の上部には開口部３ｄが形成され、開口部３ｄは後ハッチ３ｂにより開閉することができる。
【００２２】
また、基部４の右側面の中央には略長方形状の本体出入口２ａが形成されている。この本体出入口２ａによって、子豚は本体２と本体２に連設された運動場５の間を自由に行き来することができる。
【００２３】
図８は、本発明である子豚用離乳舎の運動場の平面図である。子豚用離乳舎１の本体２の右側に連設した運動場５は、正面壁５ａ、右側面壁５ｂ、背面壁５ｅ及び本体２に囲まれ、略長方形状に形成されている。
【００２４】
また、運動場５の床５ｆは、小孔が無数に形成されたメッシュ状の床材を使用している。床５ｆにメッシュ状の床材を使用することで、子豚が排泄した糞尿が床材に形成された小孔から運動場５下部の糞尿受け６内に落ち、運動場５の床５ｆに排泄物等が溜まることがない。また、床５ｆの清掃も容易にできる。
【００２５】
図９は、本発明である子豚用離乳舎の運動場の正面図である。子豚用離乳舎１の運動場５の下部には、糞尿受け６が設置されている。
【００２６】
図１０は、図９中に示したＡ−Ａ線に沿った断面図である。子豚用離乳舎１は、本体２と運動場５が連設しているため、子豚は本体２に設けられた本体出入口２ａから本体２内に入ることができる。
【００２７】
図１１は、本発明である子豚用離乳舎を構成する運動場下部に設置する糞尿受けの平面図である。糞尿受け６は、略長方形状の右端部に突出部６ｂが設けられている。また、糞尿受け６は、外周面が外枠６ｃ及び内枠６ｄにより階段状となるよう形成され、その内部は受け部６ｅとなっている。
【００２８】
図１２は、本発明である子豚用離乳舎の糞尿受けの図１１中に示したＢ−Ｂ線に沿った断面図である。糞尿受け６の外枠６ｃ及び内枠６ｄが階段状に形成されているのは、運動場５の底部を糞尿受け６に嵌め込み固定するためである。
【００２９】
図１３は、本発明である子豚用離乳舎の糞尿受けの左側面図である。糞尿受け６は、右端部に突出部６ｂが設けられ、外枠６ｃの上端は外側に向かってやや突出して平坦となっている。また、外枠６ｃの左端６ｇは左端に向かうにつれて弧を描くように下方に向かい、差込片６ｈを形成している。
【００３０】
前記差込片６ｈは、運動場５が本体２に連設されているため、運動場５と共に糞尿受け６も本体２の底面に固定する為のものであり、差込片６ｈは、運動場５と本体２の連設時に、本体２の底面に密着する。
【００３１】
図１４は、本発明である子豚用離乳舎の制御盤を示した図である。図１４に示した制御盤１１は、図１から図７までに示した本体２の屋根部３に設けた制御盤カバー３ｆ内に取り付けられた、床暖房マット９や換気扇１０等をコントロールするための制御盤である。
【００３２】
制御盤１１には、換気扇スピードコントローラー１１ａ及び換気扇の回転切替スイッチ１１ｂ、電子サーモ１１ｃ、リレー１１ｄ、ブレーカー１１ｅ、端子台１１ｆ、ヒーターマット用コンセント１１ｇが取り付けられており、換気扇１０や床暖房マット９をコントロールすることができる。
【００３３】
図１５は、本発明である子豚用離乳舎の本体の材質を示す一部拡大断面図である。図１５に示した拡大断面図は、図２中に符号１２で示した○印内の拡大断面図である。
【００３４】
図１５に示すように、本発明である子豚用離乳舎の本体断面１２は、芯材１３の外面１２ａと内面１２ｂの両面にＦＲＰ材１３ａが施された両面ＦＲＰ材製である。更に、本体断面１２は、外面１２ａがゲルコート１３ｂ加工されている。
【００３５】
図１６は、本発明である子豚用離乳舎の運動場の材質を示す一部拡大断面図である。図１６に示した拡大断面図は、図１０中に符号１４で示した○印内の拡大断面図である。
【００３６】
図１６に示すように、本発明である子豚用離乳舎の運動場断面１４は、芯材１３の両面にＦＲＰ材１３ａが施された両面ＦＲＰ材製であり、内面１４ｂにのみ、ゲルコート１３ｂ加工されている。
【００３７】
図１７は、本発明である子豚用離乳舎の糞尿受けの材質を示す一部拡大断面図である。図１７に示した拡大断面図は、図１２中に符号１５で示した○印内の拡大断面図である。
【００３８】
図１７に示すように、本発明である子豚用離乳舎の糞尿受け断面１５は、芯材１３の両面にＦＲＰ材１３ａが施された両面ＦＲＰ材製であり、内面１５ａのみが、ゲルコート１３ｂ加工されている。
【００３９】
図１５から図１７に示したように、本発明である子豚用離乳舎の素材として両面にＦＲＰ材１３ａが施された両面ＦＲＰ材を使用しているため、保温性、耐久性に優れている。また本体、運動場及び糞尿受けそれぞれの外面１２ａ、内面１４ｂ、内面１５ａにゲルコート１３ｂ加工がされていることで、耐候性が向上する。
【００４０】
即ち、ＦＲＰ材１３ａが子豚用離乳舎の表面に露出していると紫外線や降雨により素材が劣化しやすい為、本体の外面１２ａ、運動場の内面１４ｂ、糞尿受けの内面１５ａ等の日差しや雨等による汚れの付きやすい部分にゲルコート１３ｂを吹き付けることでＦＲＰ材１３ａがカバーされ、耐候性が向上し劣化しにくくなり、長持ちする。
【００４１】
ここでゲルコートとは、ＦＲＰ材１３ａの表面にハンドレイアップ又はスプレーアップ等の方法を用いて０．５ｍｍ前後の厚さに塗布し硬化させ、その上にポリエステル樹脂とガラス繊維を幾層にも積層硬化させて一体にした時、ＦＲＰ材１３ａの表面に出来る、顔料によって美しく着色された特殊ポリエステル樹脂層がゲルコート１３ｂ層である。
【００４２】
ゲルコート１３ｂ加工することで、子豚用離乳舎１そのものの耐熱性、耐候性、難燃性、耐蝕性等の向上させ、より劣化しにくい、頑丈なものとすることが出来る。
【００４３】
【発明の効果】
本発明である子豚用離乳舎は、以上に説明したような構成であるから、以下の効果が得られる。第１に、分娩舎から早期に隔離するため病気、圧死等を予防することができ、それにより子豚の死亡率を改善することができる。
【００４４】
第２に、簡単な作業で完全消毒・洗浄が可能であるため作業率を大幅に向上させかつ衛生的であると共に、床暖房マットや換気扇等により子豚にとって快適な環境を維持することが容易である。
【００４５】
第３に、ＦＲＰ製材の表面にゲルコート加工を施したため、離乳舎そのものの耐候性を向上させ、日差しや降雨などによる劣化を防ぐことができる。
【図面の簡単な説明】
【図１】本発明である子豚用離乳舎の全体を示す斜視図である。
【図２】本発明である子豚用離乳舎の前後ハッチを開いた状態の正面図である。
【図３】本発明である子豚用離乳舎の前後ハッチを閉じた状態の正面図である。
【図４】本発明である子豚用離乳舎の前後ハッチを開いた状態の平面図である。
【図５】本発明である子豚用離乳舎の前後ハッチを閉じた状態の平面図である。
【図６】本発明である子豚用離乳舎の左側面図である。
【図７】本発明である子豚用離乳舎の本体の右側面図である。
【図８】本発明である子豚用離乳舎の運動場の平面図である。
【図９】本発明である子豚用離乳舎の運動場の正面図である。
【図１０】本発明である子豚用離乳舎のＡ−Ａ線に沿った断面図である。
【図１１】本発明である子豚用離乳舎の糞尿受けの平面図である。
【図１２】本発明である子豚用離乳舎の糞尿受けのＢ−Ｂ線に沿った断面図である。
【図１３】本発明である子豚用離乳舎の糞尿受けの左側面図である。
【図１４】本発明である子豚用離乳舎の制御盤を示した図である。
【図１５】本発明である子豚用離乳舎の本体の材質を示す一部拡大断面図である。
【図１６】本発明である子豚用離乳舎の運動場の材質を示す一部拡大断面図である。
【図１７】本発明である子豚用離乳舎の糞尿受けの材質を示す一部拡大断面図である。
【符号の説明】
１        子豚用離乳舎
２        本体
２ａ      本体出入口
３        屋根部
３ａ      前ハッチ
３ｂ      後ハッチ
３ｃ      前開口部
３ｄ      後開口部
３ｅ      換気扇カバー
３ｆ      制御盤カバー
４        基部
４ａ      脚部
５        運動場
５ａ      正面壁
５ｂ      右側面壁
５ｃ      運動場出入口
５ｄ      柵
５ｅ      背面壁
５ｆ      床
６        糞尿受け
６ａ      枠体
６ｂ      突出部
６ｃ      外枠
６ｄ      内枠
６ｅ      受け部
６ｆ
６ｇ      左端
６ｈ      差込片
７        餌箱
８        給水管
９        床暖房マット
１０        換気扇
１１        制御盤
１１ａ      換気扇スピードコントローラー
１１ｂ      換気扇の回転切替スイッチ
１１ｃ      電子サーモ
１１ｄ      リレー
１１ｅ      ブレーカー
１１ｆ      端子台
１１ｇ      ヒータマット用コンセント
１２        本体断面組織
１２ａ      外面
１２ｂ      内面
１３        芯材
１３ａ      ＦＲＰ材
１３ｂ      ゲルコート
１４        運動場断面組織
１４ａ      外面
１４ｂ      内面
１５        糞尿受け断面組織
１５ａ      内面
１５ｂ      外面
【図１】
2004248580.tif 000003
【図２】
2004248580.tif 000004
【図３】
2004248580.tif 000005
【図４】
2004248580.tif 000006
【図５】
2004248580.tif 000007
【図６】
2004248580.tif 000008
【図７】
2004248580.tif 000009
【図８】
2004248580.tif 000010
【図９】
2004248580.tif 000011
【図１０】
2004248580.tif 000012
【図１１】
2004248580.tif 000013
【図１２】
2004248580.tif 000014
【図１３】
2004248580.tif 000015
【図１４】
2004248580.tif 000016
【図１５】
2004248580.tif 000017
【図１６】
2004248580.tif 000018
【図１７】
2004248580.tif 000019